(57)【要約】【課題】尿漏れ防止ガード部の端縁部から内側に向かってゴム紐を変位させて挿入し、配置することにより、尿漏れ防止ガード部の端縁部に挿通したゴム紐による股部内側への喰い込みを和らげ、着用感を向上するようにしたものである。【解決手段】尿漏れ防止ガード部の内側にゴム紐を凹状に変位、位置させて挿入することにより、ゴム紐と股部内側との直接の接圧或いは喰い込みが和らげられ、股部内側への痛みや痒みを生じる恐れがなくなり、着用感に優れた布オムツが得られるのである。【選択図】図１
2007089721.tif 000002
【特許請求の範囲】
【請求項１】
吸水層、保水層を積層した吸収パッド及び尿漏れ防止ガード部からなる布オムツにおいて、伸縮性ゴム紐を前記尿漏れ防止ガード部の側縁端部からゆとり距離をもたせて前記尿漏れ防止ガード部に内包させ配置したことを特徴とする布オムツ。
【請求項２】
前記ゴム紐は、前記尿漏れ防止ガード部の側縁端部からのゆとり距離を内側に向かって凹状に変位させて配置し、且つ前記防止ガード部の側縁部とゴム紐の最大ゆとり距離を５〜１２ｍｍに形成したことを特徴とする請求項１に記載の布オムツ。      
【請求項３】
前記尿漏れ防止ガード部の前記ゴム紐の配置ラインに沿って縫合線を２本並行に入れ、この縫合線間に前記ゴム紐を挿通させたことを特徴とする請求項1および請求項２に記載の布オムツ
【発明の詳細な説明】
【技術分野】
【０００１】
本発明は、吸水層及び保水層を積層して形成した吸収パッド及び尿漏れ防止ガード部からなる布オムツにおいて、伸縮性ゴム紐を前記尿漏れ防止ガード部の側縁端部からゆとり距離をもたせて前記尿漏れ防止ガード部に内包させ配置することにより、ゴム紐による股部内側への喰い込みを和らげ、着用感を向上するようにした布オムツに関する。
【背景技術】
【０００２】
従来、吸水層及び保水層を積層して形成した吸収パッド及び尿漏れ防止ガード部からなる布オムツにおいて、同尿漏れ防止ガード部の側縁端部に沿ってゴム紐を挿入、縫着していたので、ゴム紐が股部内側へ接圧し、食い込んで股部に痛みや痒みなどを生じ、着用感を低下させる欠点があった。
【０００３】
【特許文献１】特開２００５−１３７６１７号公報
【発明の開示】
【発明が解決しようとする課題】
【０００４】
解決しようとする問題点は、尿漏れ防止ガード部の側縁端部に沿ってゴム紐を挿入、縫着していたので、ゴム紐が直接股部内側に接圧し、喰い込んで痛みや痒みを生じる恐れがあり、ゴム紐と股部内側との接圧或いは喰い込み現象が十分に改善されていない点にある。
【課題を解決するための手段】
【０００５】
本発明は、吸水層及び保水層を積層して形成した吸収パッド及び尿漏れ防止ガード部からなる布オムツにおいて、伸縮性ゴム紐を前記尿漏れ防止ガード部の側縁端部からゆとり距離をもたせて前記尿漏れ防止ガード部に内包させ配置することにより、ゴム紐による股部内側への喰い込みを和らげ、着用感を向上するように構成したことを最も主要な特徴とする。
【発明の効果】
【０００６】
本発明は、吸水層及び保水層を積層して形成した吸収パッド及び尿漏れ防止ガード部からなる布オムツにおいて、伸縮性ゴム紐を前記尿漏れ防止ガード部の側縁端部からゆとり距離をもたせて前記尿漏れ防止ガード部に内包させ配置することにより、ゴム紐と股部内側との直接の接圧或いは喰い込みを和らげることにより、ゴム紐による股部内側への痛みや痒みを生じる恐れがなくなり、着用感に優れた布オムツが得られるのである。
【発明を実施するための最良の形態】
【０００７】
本発明は、吸水層及び保水層を積層して形成した吸収パッド及び尿漏れ防止ガード部からなる布オムツにおいて、伸縮性ゴム紐を前記尿漏れ防止ガード部の側縁端部からゆとり距離をもたせて前記尿漏れ防止ガード部に内包させ配置することにより、ゴム紐による股部内側への喰い込みを和らげ、着用感を向上するように構成したことを特徴とするもので、以下図例に基づいて説明する。１は布オムツで、浸透層３と防水層５を積層し、且つ両層３、５を重合した状態で周囲を一周する防水性（撥水性）テープ生地６で重合、縫着７すると共に、同テープ生地６を縫着７する際、周知の手段で浸透層３と防水層５間に吸水層１０及び保水層１２を積層した状態で適宜に挿入し、配置したものである。
【０００８】
尚、浸透層３の糸使いとしては、例えばポリエステル系繊維を用いて生地厚さが１〜３ｍｍの経編地を編成し、且つ肌側に接する面を起毛加工４して肌触りを良好にし、しかも起毛加工生地に親水性加工を施して尿の浸透、吸水を向上するようにしてある。また防水層５の生地使いとしては、ポリエステル系繊維を用いて生地厚さが１〜３ｍｍの織物地３３を織成し、且つ同繊維１００％からなる織物地３３にポリカーボネート系結合ウレタンフィルム３４をラミネートしたもので、防水層５の生地としては、合成繊維主体の経編、丸編もしくは織物生地に防水性素材であるフィルムにより、ラミネート加工もしくはコーティング加工して尿や水分の漏れを防止するものである
【０００９】
また吸水層１０及び保水層１２の両脇中央部側縁には、夫々周知の円弧状切欠部１５、１５を設けてあり、且つ両層１０、１２を重合した状態で周囲を一周する周知の防水性（撥水性）テープ生地１８で一体的に重合、縫着２０してある。また重合状態の吸水層１０及び保水層１２における円弧状切欠部１５、１５の内側部を前記浸透層３と重合した状態で、重合縫着２１してある。
【００１０】
また吸水層１０及び保水層１２は、夫々合成繊維による捲縮性糸（嵩高性伸縮性糸）使いによるダブルラッセル編地で形成したもので、夫々の表面層２２、２２と裏面層２３、２３間に多数の繋ぎ糸３０を連結、編成することにより、立体的な三次元構造による間隙保持層３２が形成され、しかも繋ぎ糸３０を捲縮性糸（伸縮性嵩高糸）で形成することによってクリンプ性に富んだ繋ぎ糸３０の集合体により、間隙保持層３２内に空気層が多数存在し、毛細管現象の発現が、より活発になって水分の吸収が良くなり、且つ保水効果が発揮され、しかも水分の逆流が防止されるようにしてある。
【００１１】
上記のように多数の繋ぎ糸３０間には、水分が十分に吸収、保持され、更に多数の繋ぎ糸３０が捲縮性糸（伸縮性嵩高糸）で形成されているために間隙保持層３２全体がクリンプ性或いは嵩高性に極めて優れており、従って耐圧縮性がより向上し、身体の動きによる如何なる体圧が負荷されてもクッション性に富んだ多数の繋ぎ糸３０の弾力性により、間隙保持層３２自体の変形が防止され、尿パッドの形態安定性が十分に保持されるようになっている。更に防水層５はポリエステル製生地３３に防水性フィルム３４を接着して得られたラミネート生地で形成し、前記吸水層１０及び保水層１２で保水された尿が、外部へ漏れ出すのを防止できるようにしてある。
【００１２】
更に前記吸水層１０及び保水層１２の両脇中央部に夫々設けた円弧状切欠部１５、１５に対応した位置において、積層、重合した浸透層３及び防水層５の両側縁中央部にダーツを有する立壁部、即ち尿漏れ防止用ガード部３５、３５が形成されるようにしてある。上記尿漏れ防止用ガード部３５、３５を形成する手段として、具体的には図６及び図７の如く、吸水層１０及び保水層１２の両脇中央部に夫々設けた円弧状切欠部１５、１５の位置に対応して、浸透層３及び防水層５の脇部側縁中央部にゴム紐３６挿通用の袋状重合縫着部３８（２本の縫合線）を設け、同縫着部３８内にゴム紐３６を伸張して縫着することにより、立壁部、即ち尿漏れ防止用ガード部３５、３５が形成されるようにしたものである。
【００１３】
尚、ゴム紐３６挿通用の袋状重合縫着部３８を形成する手段としては、浸透層３及び防水層５の重合状側縁端部中央部において、同側縁端部中央部の部位４０の位置から内側方向に向かって内側の部位４１の位置まで変位させて重合縫着３８（２本の縫合線）し、更に同位置４１から側縁中央部の部位４２の位置まで重合縫着３８し、このようにして袋状縫着の部位４０、４１、４２が、凹状に形成され、浸透層３及び防水層５の積層、重合によるゴム紐３７挿入用の袋状重合縫着部３８（２本の縫合線）が形成されるのである。
【００１４】
更に上記袋状重合縫着部３８内に所要長さの伸縮性ゴム紐３６を挿通するにあたり、浸透層３及び防水層５の重合状側縁中央部の側縁端部に位置する前記袋状縫着の部位４０の位置で、先ずゴム紐３６の始端部を縫着４５しておき、次いで同重合状側縁中央部の側縁から内側方向に向かって縫着３内方袋状縫着の部位４１及び４２の位置まで伸縮性ゴム紐３６を袋状重合縫着部３８内に順次、挿通しておき、次いで袋状縫着の部位４２の位置において、伸縮性ゴム紐３６を適宜に伸長した状態で、ゴム紐３６の終端部を縫着４６しておくのである。
【００１５】
尚、上記のように伸縮性ゴム紐３６を袋状重合縫着部３８内に挿通し、伸張して縫着した後、積層、重合した浸透層３及び防水層５の周囲を一周する防水性（撥水性）テープ生地６で重合、縫着７する際、浸透層３及び防水層５の両側縁中央部における部位４０から部位４１、更に部位４２に至るに部位において、同側縁端部の部位を伸長した状態で、防水性（撥水性）テープ生地６を重合、縫着７することにより、浸透層３及び防水層５の両側縁中央部にダーツを有する立壁部、即ち尿漏れ防止用ガード部３５、３５が形成されるのである。
【００１６】
また伸縮性ゴム紐３６を袋状重合縫着部３８内で挿通し、伸長して縫着する際、伸縮性ゴム紐３６による股部内側への接圧、喰い込みを防止するために、伸縮性ゴム紐３６を浸透層３及び防水層５の側縁中央部の位置から、内側方向に向かって変位させ、ゆとりを設ける距離、即ち側縁中央部の側縁端部と伸縮性ゴム紐３６が位置する前記袋状縫着の部位４１間のゆとり距離Ｌとしては、５〜１２ｍｍの範囲が好ましい。尚、前記ゆとり距離Ｌが５ｍｍ以下の場合は、ゴム紐３６による股部内側への接圧、喰い込みが強くなって股部に痛みや痒みを生じる恐れがあり、更に前記変位距離Ｌが１２ｍｍ以上の場合は、側縁中央部の側縁端部と伸縮性ゴム紐３６間の距離が、大きくなり過ぎて立壁部、即ち尿漏れ防止用ガード部３５、３５の起立が不十分となり、尿漏れなどを生じる恐れがあり、好ましくないのである。
【産業上の利用可能性】
【００１７】
尿漏れ防止用ガード部３５、３５の袋状重合縫着部３８内に挿通して設けた伸縮性ゴム紐３６としては、１本或いは複数本挿通するようにしてもよく、またゴム紐３６を構成する複数本のゴム糸の繊度をできるだけ細繊度のものを使用することが好ましい。更にゴム紐の表面に例えば植毛加工などを施して股部側への喰い込みをできるだけ和らげるようにしてもよい。
【図面の簡単な説明】
【００１８】
【図１】布オムツの概略平面図である。
【図２】吸水層（保水層）の概略平面図である。
【図３】図１のＸ−Ｘ断面における概略断面図である。
【図４】図１のＹ−Ｙ断面における概略断面図である。
【図５】吸水層（保水層）の概略断面図である。
【図６】尿漏れ防止用ガード部の拡大平面図である。
【図７】尿漏れ防止用ガード部の簡略説明用斜視図である。
【符号の説明】
【００１９】
３    浸透層  
５    防水層
１０  吸水層
１２  保水層
３５  尿漏れ防止用ガード部
３６  伸縮性ゴム紐
【図１】
2007089721.tif 000003
【図２】
2007089721.tif 000004
【図３】
2007089721.tif 000005
【図４】
2007089721.tif 000006
【図５】
2007089721.tif 000007
【図６】
2007089721.tif 000008
【図７】
2007089721.tif 000009